(57)【特許請求の範囲】
【請求項１】
給油口１ａに弁付キャップ２を装着するカートリッジタンク１と、カートリッジタンク１の弁付キャップ２を挿入する受皿３ａを有する油タンク３と、油タンク３の燃料を供給して燃焼するバーナ４とを備え、
該バーナ４と油タンク３とを接続する燃料パイプ５に燃料ポンプ６を取付けた石油燃焼器において、
この石油燃焼器には複数個の表示部７ａを集合したカートリッジタンク１の油量表示手段７と、スイッチからなるカートリッジタンク１の油量データ入力手段８と、該油量データ入力手段８の出力を記憶する油量記憶手段１１とを設け、
前記油量データ入力手段８には、油量記憶手段１１に記憶するデータを変化させ、油量表示手段７の表示部７ａの表示状態を変化させる機能を備えると共に、
石油燃焼器の燃焼量調節手段９の出力を受けて前記燃料ポンプ６を駆動する燃焼量演算手段１０を設け、
該燃焼量演算手段１０と前記油量記憶手段１１とを入力としてカートリッジタンク１の残油量を演算する残油量演算手段１２を設け、
該残油量演算手段１２の演算結果を油量表示手段７に出力し、かつ、演算結果によって油量記憶手段１１の油量データを書き換えすることを特徴とする石油燃焼器の油量表示装置。
【請求項２】
カートリッジタンク１もしくは油タンク３には、タンクが空に至る途中の油面を検出する油量検出器１３を取付け、該油量検出器１３の出力を残油量演算手段１２に入力し、残油量演算手段１２が油量表示手段７への出力データを補正し、タンクが空に至る途中で正確な油量表示ができるようにしたことを特徴とする請求項１記載の石油燃焼器の油量表示装置。
【請求項３】
油量データ入力手段８の入力部は押しボタンスイッチで構成し、油量データ入力手段８の押しボタンスイッチの押し操作毎に、油量記憶手段１１の記憶データを変化させると共に、複数個の表示部７ａの表示状態も変化させることを特徴とする請求項１記載の石油燃焼器の油量表示装置。
【発明の詳細な説明】
【０００１】
【産業上の利用分野】
この発明はカートリッジタンクを用いる石油燃焼器の残油量を表示する構造に関するものである。
【０００２】
【従来の技術】
転倒したカートリッジタンクは弁付キャップが石油燃焼器の油タンクの受皿に装着されており、油タンクの燃料が使われると空気がカートリッジタンクに流入して、使われた量の燃料がカートリッジタンクから補給されるものである。そして、カートリッジタンク内は負の圧力となっており、万一、小さな空気孔があくとカートリッジタンク内の燃料がすべて油タンクに流れて溢れさせてしまうものである。従って、カートリッジタンクに大きな開口を形成して本格的な油量計を取付けることは、もし、この開口に取付ける気密を保つパッキングが劣化すれば燃料が流出するトラブルを発生させるから、結局開口は最小限にして小さな油量窓を取付ける構造が一般的であった。
【０００３】
この為、前記したカートリッジタンクの油量窓は一定量の燃料が残っているかどうかを確認するだけであり、一般的にはカートリッジタンクに現在どの位の燃料が残っているかの詳細は知ることができないものである。また、カートリッジタンクの重量とバネとをバランスさせて、このバランス位置で油量を知る提案もあるが、この場合、カートリッジタンクの位置が上下すると油タンクの油面高さが変化するから、油タンク内に流入した燃料の総量が変動するものであり、もし、石油燃焼器が転倒すると油タンクから燃料が洩れる時があって危険であった。
【０００４】
従って、このシステムではカートリッジタンクの高さ位置が変化しない半導体の重量センサーによって、カートリッジタンクの重量を測定し、このデータを燃料の容量に変換して表示するものが実用化されており、現在この方式だけがカートリッジタンクの油量が表示できるものである。
【０００５】
【発明が解決しようとする課題】
しかしながら、上記の提案で使用する半導体の重量センサーは極めて高価格であり、安価な、普及タイプの石油燃焼器に取付けることは、販売価格の点から実用化が極めて困難であった。この為、普及タイプの石油燃焼器では空のカートリッジタンクの重量を検出したり、油タンクの油面を検出して、燃料切れでやがて消火することを、ランプや警告音で知らせる方法が用いられていた。
【０００６】
上記の構造はカートリッジタンクの油量表示窓を使って油量を知る方法と実質的に同じであり、使用中のカートリッジタンクに燃料がまだ残っていると思っていると急に燃料なしの警報が発生して、慌てて給油の手配をすることになってしまっていた。
【０００７】
【課題を解決するための手段】
この発明は上記の問題点を解決するもので、給油口１ａに弁付キャップ２を装着するカートリッジタンク１と、カートリッジタンク１の弁付キャップ２を挿入する受皿３ａを有する油タンク３と、油タンク３の燃料を供給して燃焼するバーナ４とを備え、該バーナ４と油タンク３とを接続する燃料パイプ５に燃料ポンプ６を取付けた石油燃焼器において、この石油燃焼器には複数個の表示部７ａを集合したカートリッジタンク１の油量表示手段７と、スイッチからなるカートリッジタンク１の油量データ入力手段８と、該油量データ入力手段８の出力を記憶する油量記憶手段１１とを設け、前記油量データ入力手段８には、油量記憶手段１１に記憶するデータを変化させ、油量表示手段７の表示部７ａの表示状態を変化させる機能を備えると共に、石油燃焼器の燃焼量調節手段９の出力を受けて前記燃料ポンプ６を駆動する燃焼量演算手段１０を設け、該燃焼量演算手段１０と油量記憶手段１１とを入力としてカートリッジタンク１の残油量を演算する残油量演算手段１２を設け、該残油量演算手段１２の演算結果を油量表示手段７に出力し、かつ、演算結果によって油量記憶手段１１の油量データを書き換えする構成としたものである。
【０００８】
また、この提案は、制御部内の演算によっておおよそのカートリッジタンク１の油量を表示するものであるから、カートリッジタンク１もしくは油タンク３には、タンクが空に至る途中の油面を検出する油量検出器１３を取付け、該油量検出器１３の出力を残油量演算手段１２に入力し、残油量演算手段１２が油量表示手段７への出力データを補正し、タンクが空に至る途中で正確な油量表示ができるようにしたことによって、正確度が向上するものである。
【０００９】
更に、カートリッジタンク１の燃料の補給は、常に満量補給だけでなく燃料が少なく満量まで給油できない時があるが、この発明では油量データ入力手段８の入力部は押しボタンスイッチで構成し、油量データ入力手段８の押しボタンスイッチの押し操作毎に、油量記憶手段１１の記憶データを変化させると共に、複数個の表示部７ａの表示状態も変化させることによって、カートリッジタンク１の油量が正確に表示できるようになったものである。
【００１０】
【作用】
カートリッジタンク１への燃料の補給はほとんどの場合満量になるまで給油されており、指定したカートリッジタンク１以外は使用できないこともあって、給油直後の貯油量は常に一定である。また、この種の石油燃焼器は燃料ポンプ６によって燃料がバーナ４に送られるから、燃料ポンプ６の運転モードが数種類あっても、種類毎の運転時間の総合計から、バーナ４に送られた燃料の合計は演算できるものである。
【００１１】
この発明では、油量データ入力手段８によってカートリッジタンク１をセットした時に燃料の状態をセットしておき、そのまま石油燃焼器の運転を開始すれば、燃料ポンプ６の運転状態からカートリッジタンク１に残っている燃料の予想を油量表示手段７によって表示するものである。この為、従来のように燃料切れが間近になって急に警報が鳴り出して、慌てて給油の手配をするといったことはなくなったものである。
【００１２】
更に、この発明は常にカートリッジタンク１の満量に対応するだけでなく、油量データ入力手段８を複数回操作することによって油量表示手７段の複数個の表示部７ａの内のいくつかを選択することができるから、カートリッジタンク１の満量だけでなく、給油する燃料の不足によって満量にならない時でも、石油燃焼器を運転すればカートリッジタンク１に残っている燃料の油量はほぼ正確に表示できるようになった。
【００１３】
【実施例】
図に示す石油燃焼器の実施例によってこの発明を説明すると、Ａは石油燃料を利用する石油燃焼器の枠体、３は枠体Ａ内に設置した油タンク、４は油タンク３から燃料が送られるバーナである。３ａは油タンク３の上面板に形成した受皿、１は油タンク３に燃料を補給するカートリッジタンク、１ａはカートリッジタンク１の給油口、２は給油口１ａに装着する弁付キャップであり、該カートリッジタンク１は給油口１ａを上にして給油を行ない、該給油口１ａに弁付キャップ２を取付けて転倒し、前記受皿３ａに弁付キャップ２を挿入して使用するものである。
【００１４】
５はバーナ４と油タンク３とを接続する燃料パイプ、６は燃料パイプ５の途中で油タンク３の上面板に取付けた燃料ポンプであり、該燃料ポンプ６を運転すると油タンク４の燃料がバーナ４に送られて油面が低下し、弁付キャップ２から空気がカートリッジタンク１内に入って燃料が油タンク４に流出し、該油タンク４は常にほぼ一定油面を保持している。
【００１５】
１４はバーナ４の外側に設けた空気供給路、１５は空気供給路１４に空気を供給する燃焼用ファンであり、燃焼用ファン１５を回転すると空気が空気供給路１４に送られ、バーナ４の側壁に設けた空気孔４ａを経てバーナ４内に送られる。一方、前記燃料パイプ５の先端はバーナ４内に突出しており、燃料ポンプ６を運転して油タンク３の燃料をバーナ４に送れば、この燃料は図示せざる点火手段によって着火し、燃焼用ファン１５から送られる空気によって燃焼を開始するものである。
【００１６】
９は石油燃焼器の燃焼量調節手段、１６は室内の空気の温度を検出する室温センサーであり、実施例の燃焼量調節手段９は希望室温を上昇・下降の二つの押しボタンスイッチで間接的にセットするものであり、燃焼量調節手段９は室温センサー１６の温度データに基づいて出力を可変している。１０は燃焼量調節手段９の出力を受けて燃料ポンプ６の駆動周波数を決定する燃焼量演算手段であり、該燃焼量演算手段１０は燃焼量調節手段９の出力信号によって、燃料ポンプ６と燃焼用ファン１５を同時に制御して燃料と空気を連動して変化させており、バーナ４はバランスよく空気と燃料が供給されて完全燃焼する。１７はバーナ４と連続して取付けた赤熱筒、１８は赤熱筒１７から出てくる高温の燃焼ガスを枠体Ａの前方に吹き出す対流ファンである。
【００１７】
１９はカートリッジタンク１の給油口１ａに近い側壁に設けたプリズムを使った油量表示窓であり、油量表示窓１９の内側が燃料で満たされている時は外部から入った光は燃料内へ透過して暗くなっており、一方、油面が移動して油量表示窓１９の内側が空気になると、外部から入った光はプリズムで反射して明るく見ることができる。そして、この小さな油量表示窓１９は主として給油時の満量を取扱者に知らせるように取付けてある。
【００１８】
７は石油燃焼器の枠体Ａに設けた操作・表示パネル２０の中に配置した油量表示手段、７ａは油量表示手段７の細かな油量を表示するために複数個並べた表示部である。８は給油して石油燃焼器に装着したカートリッジタンク１の貯油量のデータを入力する油量データ入力手段、１１は油量データ入力手段８の入力データを記憶する油量記憶手段であり、該油量データ入力手段８は石油燃焼器の操作・表示パネル２０に配置する押しボタンスイッチの他に、油タンク３に装着するカートリッジタンク１の有無を検出するレバースイッチ８ａで構成してもよい。
【００１９】
この為、給油したカートリッジタンク１を石油燃焼器にセットしてから押しボタンスイッチからなる油量データ入力手段８を操作したり、もしくは、油量データ入力手段８がレバースイッチ８ａを兼ねる時はカートリッジタンク１を装着時にレバースイッチ８ａが切換わることによって、油量記憶手段１１にはカートリッジタンク１の満量データが記憶されるものである。
【００２０】
尚、後記する構造によって油量記憶手段１１に記憶した油量データは油量表示手段７の表示部７ａの点燈状態によって知ることができるから、もしカートリッジタンク１の油量が満量ではない時には、この点燈した表示部７ａを参照して押しボタンスイッチからなる油量データ入力手段８を操作すると、操作の度に点燈した表示部７ａが一つづ消燈し、適正な貯油量を表示すると共に油量記憶手段１１の記憶油量を正しくセットする。
【００２１】
１２は燃焼量演算手段１０の燃焼量データと油量記憶手段１１に記憶した油量データとを入力とする残油量演算手段であり、該残油量演算手段１２は燃焼量演算手段１０から入力した燃焼量データに基づいて使用した燃料流量を演算し、演算結果を油量表示手段７に出力する。この時、実施例のように記憶手段が一つの油量記憶手段１１で構成する時には、油量表示手段７に出力する油量データで油量記憶手段１１の油量データを書き換える構成とすれば、回路構成が簡単になるものである。
【００２２】
１３はカートリッジタンク１もしくは油タンク３に取付けた油量検出器であり、カートリッジタンク１もしくは油タンク３が空に至る途中の油面を検出して残油量演算手段１２に入力している。このため、残油量演算手段１２の演算結果のみによって表示する油量データと、実際の特定ポイントの油量データとを比較補正できるようになり、正確な油量表示ができると共に、より正確に燃料切れの時期の予想ができるものであり、一番取扱者にとって必要な給油時期を正しく知ることができるようになった。
【００２３】
油量検出器１３の具体的な実施例として、ほぼ一定油面を維持する油タンク３の油面を検出して、油面低下が認められた時に信号を出す構造と組み合わせることによって、正確に燃料切れの予想ができるものであり、この場合、移動するカートリッジタンク１に特別なセンサーが不要になって好ましい。
【００２４】
また、カートリッジタンク１に燃料補給時の満量を知る目的で、プリズムを使った油量表示窓１９が取り付けてある時には、カートリッジタンク１を石油燃焼器に装着した時にこの油量表示窓１９と対抗する位置に、発光素子と受光素子を組み合わせた光センサー１３ａを設けるとよく、油量検出器１３の働きをする光センサー１３ａの出力を残油量演算手段１２に入力すれば、カートリッジタンク１の特定ポイントの油量を早い時期に検出できるから、油量表示手段７に表示する油量が正確になるものである。
【００２５】
【発明の効果】
以上のようにこの発明の操作・表示パネルには油量データ入力手段８とカートリッジタンク１の油量表示手段７を設けており、給油したカートリッジタンク１を装着する時に、この給油燃料の総量を油量データ入力手段８によって入力すれば、特別なカートリッジタンク１の油量を連続検出する装置を持たなくとも、カートリッジタンク１の燃料が使用によってだんだん少なくなる様子が表示できるようになり、従来のように石油燃焼器の使用中に突然、燃料切れで消火する警報が出されるようなことはなくなり、使い勝手が非常によくなったものである。
【００２６】
また、主たる構成はすべて制御装置内に構成した各ブロックの動作によって実施するものであるから、具体的には制御部を構成する素子もしくはマイクロコンピュータのプログラムの変更で実現できるから、コストアップもわずかで済み、値段の安い普及タイプの石油燃焼器にも実施できるようになったものである。
【００２７】
また、あらかじめ、石油燃焼器の油タンク３などに、特定位置の油の有無を検出する油量検出器１３が取付けられている時には、この油量検出器１３のデータを残油量演算手段１２に入力すれば、表示する油量の補正ができるようになり、その後は、ほぼ正確に燃料切れで消火するまでの時間が特定できるようになり、一番重要な給油時期の特定が正確に行なえるようになったものである。
【００２８】
更に、内用量表示手段７は複数個の表示部７ａで構成し、かつ、油量データ入力手段８は押しボタンスイッチで構成して、カートリッジタンク１に給油してセットする時に、操作回数で表示部７ａの表示が変化して、給油した燃料の総量を選べるようにしたから、だれでも簡単にカートリッジタンク１の油量のセットができるようになり、間違った油量表示ができにくくなったものである。
【図面の簡単な説明】
【図１】この発明の実施例を示す石油燃焼器の制御部のブロック図である。
【図２】この発明の実施例を示す石油燃焼器の要部断面図である。
【図３】この発明の実施例を示す石油燃焼器の前面を示す正面図である。
【図４】図３で示す実施例に記載した表示部の拡大要部正面図である。
【符号の説明】
Ａ    枠体
１    カートリッジタンク
１ａ  給油口
２    弁付キャップ
３    油タンク
３ａ  受皿
４    バーナ
５    燃料パイプ
６    燃料ポンプ
７    油量表示手段
７ａ  表示部
８    油量データ入力手段
９    燃焼量調節手段
１０    燃焼量演算手段
１１    油量記憶手段
１２    残油量演算手段
１３    油量検出器
【図１】
0003577884.tif 000002
【図２】
0003577884.tif 000003
【図３】
0003577884.tif 000004
【図４】
0003577884.tif 000005